(57)【要約】【課題】  消耗品が標準よりも早く寿命を迎えた場合に、新たな消耗品を通常の料金よりも安価に提供する。【解決手段】  プロジェクタ１００のユーザは、プロジェクタ１００の光源ランプが寿命を迎えた場合に、クライアントＰＣ２００を用いてプロジェクタ１００にアクセスし、光源ランプの累積使用時間を取得する。すると、クライアントＰＣ２００は、この累積使用時間を消耗品取引サーバ３００に送信する。消耗品取引サーバ３００は、こうして受信した累積使用時間に応じて光源ランプの料金を求める。このとき、料金は、受信した累積使用時間が標準的な累積使用時間に比べて短い場合に、正規な料金に比べて安価になるように求める。こうして求めた料金は、クライアントＰＣ２００に通知する。クライアントＰＣ２００は通知された料金をＣＲＴ等に表示する。【選択図】  図１
2005108157.tif 000002
【特許請求の範囲】
【請求項１】
消耗品の取引を電子的に行う消耗品取引装置であって、
消耗した消耗品の累積使用時間を所定の通信手段によって入力する入力部と、
前記入力した累積使用時間が標準的な累積使用時間に比べて短い場合に、前記入力した累積使用時間に応じて新たな消耗品の料金を求める料金決定部と、
前記求めた料金を前記消耗品のユーザに提示する料金提示部と、
を備える消耗品取引装置。
【請求項２】
請求項１に記載の消耗品取引装置であって、
前記入力部は、更に、前記消耗品の損耗状態を表す情報を入力し、
前記料金決定部は、前記累積使用時間と前記損耗状態に応じて前記消耗品の料金を求める、消耗品取引装置。
【請求項３】
請求項１に記載の消耗品取引装置であって、
更に、前記消耗品の発注を前記ユーザから受け付け、前記求めた料金で新たな消耗品の取引を行う取引処理部を備える、消耗品取引装置。
【請求項４】
請求項３に記載の消耗品取引装置であって、
前記ユーザを識別するためのユーザＩＤと、前記ユーザが前記消耗品を発注した時とを対応付けて記録するユーザ記憶部を備え、
前記取引処理部は、前記ユーザから受け付けた発注の時が、前記ユーザ記憶部を参照することにより前回発注された時から所定の期間経過していないと判定される場合には取引を行わないようにする、消耗品取引装置。
【請求項５】
請求項３に記載の消耗品取引装置であって、
前記消耗品には、その個体毎に一意に識別情報が付されており、
既に取引を行った前記消耗品の識別情報を記録する識別情報記憶部を備え、
前記入力部は、更に、前記識別情報を入力し、
前記取引処理部は、前記入力した識別情報と、前記識別情報記憶部に記録された識別情報とに基づき、前記発注が正当な発注であると判定されない場合には取引を行わないようにする、消耗品取引装置。
【請求項６】
請求項３に記載の消耗品取引装置であって、更に、
前記ユーザを識別するためのユーザＩＤと、前記ユーザが前記消耗品を発注した時の履歴を対応付けて記録するユーザ記憶部と、
前記履歴に応じて前記消耗品が消耗されるまでの累積使用時間を予測する予測部と、
前記予測した累積使用時間に基づき、前記消耗品が直に消耗される旨を前記ユーザに通知する予測通知部と、
を備える消耗品取引装置。
【請求項７】
消耗品の取引を電子的に行うための消耗品取引方法であって、
コンピュータが、消耗した消耗品の累積使用時間を所定の通信手段によって入力する行程と、
コンピュータが、前記入力した累積使用時間が標準的な累積使用時間に比べて短い場合に、前記入力した累積使用時間に応じて新たな消耗品の料金を求める行程と
コンピュータが、前記求めた料金を前記消耗品のユーザに提示する行程と、
を備える消耗品取引方法。
【発明の詳細な説明】
【技術分野】
【０００１】
本発明は、消耗品の取引を電子的に行うための消耗品取引装置に関する。
【背景技術】
【０００２】
プロジェクタに用いられる光源ランプは消耗品であり、その累積使用時間が一定の時間になると、輝度が半減し、寿命を迎えることが知られている。そのため、ユーザは、定期的に光源ランプを交換する必要がある（特許文献１参照）。
【０００３】
【特許文献１】特開２００２−２８７２４３号公報
【発明の開示】
【発明が解決しようとする課題】
【０００４】
光源ランプは、その製造時の品質のばらつきにより、標準的な寿命よりも早く寿命が来る場合がある。また、この品質のばらつきに起因して使用途中に点灯不能となる場合もある。しかし、このような場合においても、ユーザは、新たな光源ランプを正規の金額で購入する必要があり、金銭的な負担となっていた。このような課題は、光源ランプに限らず、寿命にばらつきのあるその他の消耗品についても共通の課題であった。
【０００５】
そこで、本発明は、消耗品が標準的な寿命よりも早く寿命を迎えた場合に、新たな消耗品を通常の料金よりも安価に提供することを目的としている。
【課題を解決するための手段】
【０００６】
上記課題を解決するため、本発明を次のように構成した。すなわち、消耗品の取引を電子的に行う消耗品取引装置であって、
消耗した消耗品の累積使用時間を所定の通信手段によって入力する入力部と、
前記入力した累積使用時間が標準的な累積使用時間に比べて短い場合に、前記入力した累積使用時間に応じて新たな消耗品の料金を求める料金決定部と、
前記求めた料金を前記消耗品のユーザに提示する料金提示部と、
を備えることを要旨とする。
【０００７】
このような消耗品取引装置であれば、消耗品が標準的な寿命よりも早く寿命を迎えた場合に、新たな消耗品の価格を正規な価格よりも安価に設定することができる。ここで、上記入力部が累積使用時間を入力する入力元としては、例えば、消耗品を備える装置や、消耗品を備える装置と接続された他の装置などとすることができる。具体的には、例えば、消耗品がプロジェクタの光源ランプである場合には、プロジェクタ本体や、プロジェクタと接続されたパーソナルコンピュータなどである。入力部は、例えば、インターネットやＬＡＮ等のネットワークや、ＲＳ−２３２Ｃ、ＵＳＢ、ＩＥＥＥ１３９４、赤外線といった各種通信手段によってこのような装置から累積使用時間を入力することができる。
【０００８】
上記料金決定部は、例えば、料金テーブルや関数などを用いることにより料金を求めることができる。また、上記料金提示部は、例えば、電子メールやＷＷＷ（World Wide Web）などといったネットワーク手段や、ディスプレイ等の表示手段によって料金をユーザに提示することが可能である。なお、消耗品とは、例えば、プロジェクタの光源ランプやライトバルブなどである。もちろん消耗品はこれらに限定されることはない。
【０００９】
上記消耗品取引装置において、
前記入力部は、更に、前記消耗品の損耗状態を表す情報を入力し、
前記料金決定部は、前記累積使用時間と前記損耗状態に応じて前記消耗品の料金を求めるものとしてもよい。
【００１０】
こうすることにより、累積使用時間だけではなく、消耗品の損耗状態に応じて料金を求めることができる。例えば、消耗品がプロジェクタの光源ランプであれば、光源ランプが点灯不能になった場合や、輝度が半減した場合などに応じて累積使用時間が同じであっても異なる料金を求めることが可能となる。
【００１１】
上記消耗品取引装置において、
更に、前記消耗品の発注を前記ユーザから受け付け、前記求めた料金で新たな消耗品の取引を行う取引処理部を備えるものとしてもよい。
【００１２】
こうすることにより、新たな消耗品を安価な料金でユーザに提供することができる。
【００１３】
かかる構成の消耗品取引装置において
前記ユーザを識別するためのユーザＩＤと、前記ユーザが前記消耗品を発注した時とを対応付けて記録するユーザ記憶部を備え、
前記取引処理部は、前記ユーザから受け付けた発注の時が、前記ユーザ記憶部を参照することにより前回発注された時から所定の期間経過していないと判定される場合には取引を行わないようにするものとしてもよい。
【００１４】
こうすることにより、ユーザが、所定の期間内に新たな消耗品を安価に複数入手することを抑制することができる。所定の期間とは、例えば、１週間や２週間など、消耗品が通常の使用で寿命を迎えることが想定できない期間とすることができる。
【００１５】
また、前記構成の消耗品取引装置において、
前記消耗品には、その個体毎に一意に識別情報が付されており、
既に取引を行った前記消耗品の識別情報を記録する識別情報記憶部を備え、
前記入力部は、更に、前記識別情報を入力し、
前記取引処理部は、前記入力した識別情報と、前記識別情報記憶部に記録された識別情報とに基づき、前記発注が正当な発注であると判定されない場合には取引を行わないようにするものとしてもよい。
【００１６】
上記取引処理部は、例えば、入力部に入力した識別情報が、既に識別情報記録部に登録されている場合に、正当な発注ではないと判定することができる。こうすることにより、ユーザが、同一の消耗品に基づいて新たな消耗品を安価に複数入手することを抑制することができる。
【００１７】
また、前記構成の消耗品取引装置において、更に、
前記ユーザを識別するためのユーザＩＤと、前記ユーザが前記消耗品を発注した時の履歴を対応付けて記録するユーザ記憶部と、
前記履歴に応じて前記消耗品が消耗されるまでの累積使用時間を予測する予測部と、
前記予測した累積使用時間に基づき、前記消耗品が直に消耗される旨を前記ユーザに通知する予測通知部と、を備えるものとしてもよい。
【００１８】
こうすることにより、ユーザは、消耗品が消耗される時期の目安を知ることができるため利便性を高めることができる。予測通知部は、例えば、電子メール等の手段により予測を通知することができる。
【００１９】
本発明において、上述した種々の態様は、適宜、組み合わせたり、一部を省略したりして適用することができる。また、本発明は、消耗品の取引を電子的に行うための消耗品取引方法や、コンピュータに消耗品の取引を実現させるためのコンピュータプログラム、かかるコンピュータプログラムを記録したコンピュータ読み取り可能な記録媒体などとしても構成することができる。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００２０】
本発明の実施の形態について実施例に基づき次の順序で説明する。
Ａ．消耗品取引システムの概略構成：
Ｂ．プロジェクタの概略構成：
Ｃ．クライアントＰＣの概略構成：
Ｄ．消耗品取引サーバの概略構成：
Ｅ．プロジェクタにおける損耗状態判定処理：
Ｆ．消耗品取引システムにおける消耗品取引処理：
Ｇ．変形例：
【００２１】
Ａ．消耗品取引システムの概略構成：
図１は、実施例としての消耗品取引システムの概略構成を示す説明図である。消耗品取引システム１０は、消耗品としてプロジェクタの光源ランプの取引を行うためのシステムである。消耗品取引システム１０は、プロジェクタ１００と、クライアントＰＣ２００と、消耗品取引サーバ３００とによって構成される。プロジェクタ１００とクライアントＰＣ２００とは、ＬＡＮによって接続されており、クライアントＰＣ２００と消耗品取引サーバ３００とは、ルータＲＴを介してインターネットＩＮＴにより接続されている。プロジェクタ１００とクライアントＰＣ２００とは、ＬＡＮ以外にも、例えば、ＲＳ―２３２ＣやＵＳＢ、ＩＥＥＥ１３９４、赤外線等によって通信するものとしてもよい。
【００２２】
本システムの利用方法を簡単に説明する。プロジェクタ１００のユーザは、プロジェクタ１００の光源ランプが寿命を迎えた場合に、クライアントＰＣ２００を用いてプロジェクタ１００にアクセスし、光源ランプの累積使用時間を取得する。クライアントＰＣ２００は、取得した累積使用時間を消耗品取引サーバ３００に送信する。消耗品取引サーバ３００は、こうして受信した累積使用時間に応じて光源ランプの料金を求める。このとき、料金は、受信した累積使用時間が標準的な累積使用時間に比べて短い場合に、正規な料金に比べて安価になるように求める。求められた料金は、クライアントＰＣ２００に通知される。クライアントＰＣ２００は、通知された料金を画面上に表示する。ユーザは表示された料金を確認し、新しい光源ランプを発注する場合には、クライアントＰＣ２００を操作して消耗品取引サーバ３００に発注する旨の通知を行う。このようなシステムによれば、光源ランプが標準的な寿命よりも早く寿命を迎えた場合に、その累積使用時間に応じて通常の料金よりも安価な金額で新しい光源ランプを提供することができる。
【００２３】
Ｂ．プロジェクタの概略構成：
図２は、プロジェクタ１００の概略構成を示す説明図である。プロジェクタ１００は、交換可能な光源ランプ１０１や、液晶ライトバルブ１０２、投写レンズ１０３、表示制御部１０４、コントローラ１０５、輝度センサ１０６、通信制御部１０７、累積使用時間記憶部１０８、損耗状態記憶部１０９等を備えている。
【００２４】
表示制御部１０４は、ＤＶＤプレーヤやビデオデッキ等の画像出力装置から出力された画像信号を入力すると、この画像信号に応じて液晶ライトバルブ１０２を制御して光源ランプ１０１から射出された光を変調する。変調された光は、投写レンズ１０３によってスクリーンＳＣに拡大投写される。
【００２５】
光源ランプ１０１は、ハロゲンランプやメタルハライドランプなどといったランプ１２０と、ランプ１２０が発光した光を一方向へ射出するためのリフレクタ１２１を備えている。光源ランプ１０１は、更に、ＩＤ記憶部１１０を備えている。ＩＤ記憶部１１０には、光源ランプ製造時にその個体毎に一意に割り振られたＩＤ番号（以下、「ランプＩＤ」と記載）が記録されている。なお、本実施例の光源ランプ１０１は、正規な価格は２００００円であり、輝度が半減する標準的な寿命が１００００時間であるものとする。
【００２６】
輝度センサ１０６は、光源ランプ１０１から射出される光の輝度を測定する。測定は、例えば、光源ランプ１０１のリフレクタ１２１から漏れる漏れ光の量を検出することにより行うことができる。
【００２７】
通信制御部１０７は、ＬＡＮを介してクライアントＰＣ２００等と通信を行うためのプロトコル制御などを行う。
【００２８】
コントローラ１０５は、ＣＰＵやＲＡＭ、ＲＯＭ、タイマ等を備えている。ＲＯＭには、プロジェクタ１００を制御するための制御プログラムが記録されており、ＣＰＵは、ＲＡＭをワークエリアとして用いることによりこのプログラムを実行する。図示する累積使用時間カウント部１１１や損耗状態判定部１１２、パラメータ送信部１１３は、この制御プログラムをＣＰＵが実行することによってソフトウェア的に実現される機能部である。
【００２９】
累積使用時間カウント部１１１は、光源ランプ１０１の使用開始からの累積使用時間を、上記タイマを用いてカウントする。カウントされた累積使用時間は、累積使用時間記憶部１０８に記録される。累積使用時間記憶部１０８は、例えば、ＥＥＰＲＯＭによって構成することができる。こうすることによって、電源がＯＦＦ状態であっても、記録内容を維持することができる。
【００３０】
損耗状態判定部１１２は、輝度センサ１０６によって検出した光源ランプ１０１の輝度に応じて、寿命を迎えた光源ランプ１０１の損耗状態を判定する。損耗状態とは、輝度が半減した状態や点灯不能になった状態をいう。判定された損耗状態は、累積使用時間記憶部１０８から読み出した累積使用時間と対応付けられて損耗状態記憶部１０９に記録される。損耗状態の判定方法は後述する。
【００３１】
パラメータ送信部１１３は、通信制御部１０７を介してクライアントＰＣ２００等から所定のアクセスがあった場合に、損耗状態記憶部１０９に記録された損耗状態や累積使用時間、光源ランプ１０１のＩＤ記憶部１１０に記録されたランプＩＤを読み取って返信する。
【００３２】
Ｃ．クライアントＰＣの概略構成：
図３は、クライアントＰＣ２００の概略構成を示す説明図である。クライアントＰＣ２００は、パーソナルコンピュータであり、ＣＰＵ２０１やＲＡＭ２０２、ハードディスク２０５、ＣＲＴ等の表示装置を制御するグラフィックコントローラ２０３、ＬＡＮによる通信を制御するネットワークインタフェースコントローラ（ＮＩＣ）２０４等を備えている。ハードディスク２０５には光源ランプの取引を行うための取引プログラムＴＰがインストールされており、ＣＰＵ２０１はＲＡＭ２０２をワークエリアとして用いることによりこのプログラムを実行する。図示するパラメータ取得部２０６や料金問い合わせ部２０７、発注部２０８は、このプログラムが実行されることによってソフトウェア的に実現される機能部である。
【００３３】
パラメータ取得部２０６は、ＬＡＮを介してプロジェクタ１００から累積使用時間や損耗状態、ランプＩＤを取得する。料金問い合わせ部２０７は、これらのパラメータや、ユーザを識別するためのユーザＩＤを消耗品取引サーバ３００に送信することによって光源ランプの料金を問い合わせる。問い合わせた料金は、グラフィックコントローラ２０３によってＣＲＴに表示される。発注部２０８は、消耗品取引サーバ３００から通知された料金によって光源ランプの発注を行う。
【００３４】
Ｄ．消耗品取引サーバの概略構成：
図４は、消耗品取引サーバ３００の概略構成を示す説明図である。消耗品取引サーバ３００はコンピュータであり、ＣＰＵ３０１やＲＡＭ３０２、インターネットＩＮＴによる通信を制御するＮＩＣ３０３、ハードディスク３０４等を備えている。
【００３５】
ハードディスク３０４には、光源ランプの取引を行うための取引プログラムＴＰ２がインストールされており、ＣＰＵ３０１は、ＲＡＭ３０２をワークエリアとして用いることによりこのプログラムを実行する。図示するパラメータ取得部３０５、料金決定部３０６、取引処理部３０７は、このプログラムが実行されることによりソフトウェア的に実現される機能部である。ハードディスク３０４には、更に、取引プログラムＴＰ２によって用いられる料金テーブルＰＴやユーザテーブルＵＴが記録されている。
【００３６】
パラメータ取得部３０５は、クライアントＰＣ２００から累積使用時間、損耗状態、ユーザＩＤ、ランプＩＤを取得する。料金決定部３０６は、こうして取得した損耗状態と累積使用時間に基づき料金テーブルＰＴを参照して光源ランプの料金を決定する。取引処理部３０７は、ユーザＩＤやランプＩＤに基づきユーザテーブルＵＴを参照して取引の正当性を判断しつつユーザとの取引を行う。
【００３７】
図５は、料金テーブルＰＴの一例を示す説明図である。図５（ａ）は、光源ランプの損耗状態が点灯不能である場合の料金テーブルであり、図５（ｂ）は、輝度半減である場合の料金テーブルである。両者とも、光源ランプの累積使用時間が長くなるほど料金が高くなるように設定されている。また、輝度が半減した場合のほうが点灯不能となった場合よりも料金が高くなるように設定されている。これは、光源ランプの輝度が半減したとしてもプロジェクタ１００は一応動作可能だからである。
【００３８】
図６は、ユーザテーブルＵＴの一例を示す説明図である。ユーザテーブルＵＴには、ユーザＩＤ毎にそのユーザが本システムによって過去に光源ランプを発注した日付と、その発注時に寿命を迎えた交換前の光源ランプのランプＩＤの履歴が記録される。ユーザテーブルＵＴには、その他、交換前の光源ランプの損耗状態や、新たに購入した光源ランプのランプＩＤも記録してもよい。
【００３９】
Ｅ．プロジェクタにおける損耗状態判定処理：
図７は、プロジェクタ１００における損耗状態判定処理のフローチャートである。かかる処理は、プロジェクタ１００のコントローラ１０５が実行する処理である。まず、コントローラ１０５は、輝度センサ１０６から輝度値Ｌを取得すると（ステップＳ１０）、その輝度値Ｌが最大輝度値Ｌｍａｘの半分以下であるか否かを判定する（ステップＳ１１）。最大輝度値Ｌｍａｘは、予めプロジェクタ１００のＲＯＭ等に設定されていてもよいし、光源ランプ１０１のＩＤ記憶部１１０にランプＩＤと共に記録されているものとしてもよい。ＩＤ記憶部１１０に記録されているものとすれば、光源ランプ１０１の種類に応じて設定された最大輝度値を適用することが可能となる。コントローラ１０５は、輝度値Ｌが半分以下であると判定した場合には（ステップＳ１１：Ｙｅｓ）、損耗状態記憶部１０９に損耗状態として輝度が半減した旨と、判定を行った際の累積使用時間を記録する（ステップＳ１２）。
【００４０】
次に、コントローラ１０５は、輝度値Ｌがゼロに変化したかどうかを判定する（ステップＳ１３）。この判定により、光源ランプ１０１が点灯不能になったかどうかを判定することができる。ゼロに変化したと判定された場合には（ステップＳ１３：Ｙｅｓ）、損耗状態記憶部１０９に損耗状態として点灯不能である旨と、判定を行った際の累積使用時間を記録する（ステップＳ１４）。なお、かかる処理では、プロジェクタ１００の起動時に既に輝度がゼロであった場合には点灯不能と判定されない。これは、プロジェクタ１００を故意に落下させたことなどによって光源ランプ１０１が故障したような場合に、光源ランプ１０１が寿命を迎えたと判定されないようにするためである。
【００４１】
プロジェクタ１００は、電源ＯＮ時に、以上で説明した損耗状態判定処理を常時実行することによって、光源ランプ１０１の損耗状態を判定することが可能となる。
【００４２】
Ｆ．消耗品取引システムにおける取引処理：
図８は、消耗品取引システム１０における取引処理のフローチャートである。左側のフローチャートにはクライアントＰＣ２００による処理を表し、右側のフローチャートには消耗品取引サーバ３００による処理を表した。
【００４３】
まず、クライアントＰＣ２００は、ユーザからユーザＩＤを入力すると（ステップＳ２０）、プロジェクタ１００から、光源ランプ１０１の損耗状態と累積使用時間、及びランプＩＤを取得する（ステップＳ２１）。そして、クライアントＰＣ２００は、これらのパラメータを消耗品取引サーバ３００に送信する（ステップＳ２２）。
【００４４】
消耗品取引サーバ３００は、クライアントＰＣ２００から上記パラメータを取得すると（ステップＳ２３）、取得したユーザＩＤをキーとして、このユーザが前回光源ランプを発注した日をユーザテーブルＵＴから検索する。そして、検索された発注日から現在までの経過期間が所定の期間内であるかを判定する（ステップＳ２４）。所定の期間とは、例えば、１週間や２週間などとすることができる。通常、このような期間では、輝度が半減したり、点灯不能になることはないと想定されるため、ユーザが、光源ランプを不正に安価に購入しようとしたものとみなすことができるためである。判定の結果、所定の期間内であれば（ステップＳ２４：Ｙｅｓ）、取引不可通知をクライアントＰＣ２００に送信して（ステップＳ２５）、取引処理を終了する。
【００４５】
所定の期間を経過している場合には（ステップＳ２４：Ｎｏ）、更に、ステップＳ２３によって取得したランプＩＤが、ユーザテーブルＵＴ内に既に登録済みであるか否かを判定する（ステップＳ２６）。ユーザテーブルＵＴには、既に寿命を迎えた光源ランプのランプＩＤが登録されている。そのため、ユーザテーブルＵＴにランプＩＤが既に登録済みである場合には、ユーザが、寿命を迎えた光源ランプを利用して重複した発注を行い、光源ランプを不正に安価に入手しようとしたものとみなすことができる。そこで、かかる場合には（ステップＳ２６：Ｙｅｓ）、取引不可通知をクライアントＰＣ２００に送信して（ステップＳ２５）、取引処理を終了する。
【００４６】
上記ステップＳ２４とステップＳ２６のどちらにも該当しない場合には、消耗品取引サーバ３００は、料金テーブルＰＴを参照し、ステップＳ２３で取得した損耗状態と累積使用時間に基づき、新たな光源ランプの料金を求める（ステップＳ２７）。例えば、損耗状態が輝度半減で、累積使用時間が１２００時間であれば、図５（ｂ）に従い、１４０００円となる。また、損耗状態が点灯不能で、累積使用時間が２５００時間であれば、図５（ａ）に従い、１１０００円となる。ここで、例えば、損耗状態が、輝度半減かつ点灯不能である場合も考えられる。このような場合には、例えば、どちらかの損耗状態を優先させて料金を決定してもよいし、両者の金額の平均値などを算出して決定してもよい。こうして料金を求めた後、消耗品取引サーバ３００は、求めた料金をクライアントＰＣ２００に通知する（ステップＳ２８）。
【００４７】
次に、クライアントＰＣ２００は、消耗品取引サーバ３００から受信した通知が、料金通知であるか取引不可通知であるかを判定する（ステップＳ２９）。取引不可通知であれば取引処理を終了する。料金通知であれば、通知された料金をＣＲＴに表示することにより、ユーザに提示する（ステップＳ３０）。ユーザは、提示された料金で取引を行う場合には、クライアントＰＣ２００に対して所定の操作を行うことによって発注を指示する。クライアントＰＣ２００は、この発注指示を受けたか否かを判定し（ステップＳ３１）、発注指示を受けた場合には（ステップＳ３１：Ｙｅｓ）、消耗品取引サーバ３００に対して発注する旨を通知し（ステップＳ３２）、発注指示を受けなかった場合には（ステップＳ３１：Ｎｏ）、取引処理を終了する。
【００４８】
次に、消耗品取引サーバ３００は、クライアントＰＣ２００から発注通知を受けたか否かを判定する（ステップＳ３３）。消耗品取引サーバ３００は、発注通知を受けなかった場合には（ステップＳ３３：Ｎｏ）、取引処理を終了し、発注通知を受けた場合には（ステップＳ３３：Ｙｅｓ）、受注処理を行う（ステップＳ３４）。受注処理とは、新たな光源ランプをユーザに発送するために要する種々の処理である。そして、最後に、上記ステップＳ２３で取得したランプＩＤと、取引を行った日付とをユーザＩＤに対応付けてユーザテーブルＵＴに登録する。
【００４９】
以上で説明した取引処理によれば、消耗品取引システム１０は、光源ランプが標準的な寿命より早く寿命を迎えた場合に、不正な取引を抑制しつつ、正規な価格よりも安価に新しい光源ランプを提供することが可能となる。なお、上記取引処理では、ステップＳ２４とステップＳ２６とによって二重に不正な取引を防止するものとしたが、どちらか一方のみの処理を行うものとしてもよい。
【００５０】
Ｇ．変形例：
（変形例１）図９は、変形例としての消耗品取引システム５００の概略構成を示す説明図である。消耗品取引システム５００は、上記実施例で用いたクライアントＰＣ２００に換えて、ＰＤＡ（Personal Digital Assistance）４００を用いるものとした。ＰＤＡ４００は、プロジェクタ１００の保守サービスを行う業者によって用いられる装置であるものとする。
【００５１】
ＰＤＡ４００は、ＣＰＵやＲＯＭ、ＲＡＭを備えており、ＲＯＭには光源ランプの取引を行うための取引プログラムＴＰ３が格納されている。ＣＰＵはＲＡＭをワークエリアとして用いることにより、かかるプログラムを実行する。図示するパラメータ取得部４０１や料金問い合わせ部４０２、発注部４０３は、このプログラムを実行することによってソフトウェア的に実現される機能部である。これらの機能部は、図３で示したクライアントＰＣ２００の各機能部と同等の機能を有する。
【００５２】
ＰＤＡ４００には、更に、ＰＨＳ（Personal Handyphone System）によって外部と通信を行うためのＰＨＳモジュール４０４を備えている。なお、本変形例では、ＰＨＳによって外部と通信を行うものとしたが、無線ＬＡＮ等によって外部と通信するものとしてもよい。
【００５３】
まず、ユーザは、プロジェクタ１００の光源ランプが寿命を迎えた場合に、電話や電子メール等によって保守サービスの業者を呼ぶ。すると、業者は、ＰＤＡ４００を携帯してユーザ宅に赴き、ＰＤＡ４００とプロジェクタ１００とを所定の通信手段で接続する。通信手段としては、例えば、ＲＳ−２３２Ｃや赤外線、ＬＡＮ、ＵＳＢなどを用いることができる。
【００５４】
次に、ＰＤＡ４００は、プロジェクタ１００から光源ランプ１０１の損耗状態やその損耗状態に至った累積使用時間を取得し、かかるパラメータをＰＨＳモジュール４０４によって基地局ＢＳ経由で消耗品取引サーバ３００に送信する。すると、消耗品取引サーバ３００からは、これらのパラメータに応じた新しい光源ランプの料金が返信され、ＰＤＡ４００の表示画面に表示される。業者はこうして返信された料金をユーザに提示する。ユーザは、提示された料金で新しい光源ランプを購入したい場合には、業者にその旨を伝える。すると、業者は、ＰＤＡ４００を用いて、消耗品取引サーバ３００に発注を行い、新たな光源ランプがユーザに発送される。
【００５５】
以上で説明した変形例によっても、光源ランプが標準よりも早く寿命を迎えた場合に、新たな光源ランプを通常の料金よりも安価に提供することができる。なお、上記変形例では、料金をＰＤＡ４００から消耗品取引サーバ３００に問い合わせるものとしたが、例えば、ＰＤＡ４００内に、図５で示した料金テーブルＰＴを記録しておくことにより、消耗品取引サーバ３００に問い合わせることなく料金を求めてもよい。また、例えば、業者は、ユーザ宅に赴く際に、新たな光源ランプも携帯していくことにより、消耗品取引サーバ３００に発注を行うことなく、その場でユーザから料金を回収して光源ランプを引き渡すものとしてもよい。
【００５６】
（変形例２）上記実施例の消耗品取引サーバ３００には、更に、ユーザに対して光源ランプ１０１が直に寿命を迎える旨の通知を行う機能を加えるものとしてもよい。通知を行うタイミングとしては、例えば、ユーザテーブルＵＴに記録された発注日を参照して、前々回に発注した日から前回発注した日までの期間を計算し、この期間よりも短いタイミングで通知を送信するものとすることができる。こうすることによりユーザは、光源ランプ１０１の寿命を予測することができるため利便性を高めることができる。このような通知は、例えば、ユーザテーブルＵＴにユーザの電子メールアドレスを登録するものとして、このアドレス宛に電子メールを送信することよって行うことが可能である。
【００５７】
なお、かかる変形例では、ユーザテーブルＵＴに、寿命を迎えた光源ランプの損耗状態も記録されるものとして、前々回と前回の発注の少なくとも一方が、光源ランプの損耗状態が点灯不能による発注である場合には通知を行わないものとしてもよい。点灯不能となるのは不定期であるため、寿命の予測の計算に用いるのには適さないからである。
【００５８】
（変形例３）上記実施例では、プロジェクタ１００が光源ランプ１０１の損耗状態を判定するものとした。しかし、かかる判定は、消耗品取引サーバ３００が行ってもよい。この場合、クライアントＰＣ２００は、プロジェクタ１００から累積使用時間と輝度値を取得して、これらのパラメータを消耗品取引サーバ３００に転送する。そして、消耗品取引サーバ３００が、図７で示した損耗状態判定処理と同等の処理を実行することによって、光源ランプ１０１の損耗状態を判定することができる。
【００５９】
（変形例４）上記実施例では、消耗品取引サーバ３００は、クライアントＰＣ２００を介して、損耗状態や累積使用時間などのパラメータを取得するものとした。しかし、消耗品取引サーバ３００は、プロジェクタ１００から直接パラメータを取得するものとしてもよい。また、例えば、プロジェクタ１００に新しい光源ランプの料金を問い合わせるための操作ボタンを設け、かかるボタンがユーザによって押下された場合に、プロジェクタ１００が自動的に消耗品取引サーバ３００に新しい光源ランプの料金を問い合わせ、消耗品取引サーバ３００から返信された料金を、プロジェクタ１００の本体に設けた表示装置やスクリーンＳＣ上に表示するものとしてもよい。
【００６０】
（変形例５）上記実施例では、クライアントＰＣ２００からプロジェクタ１００に累積使用時間等のパラメータを問い合わせるものとした。しかし、プロジェクタ１００が、光源ランプ１０１が寿命を迎えた否かを判断し、寿命を迎えたと判断した場合に、自ら動的にパラメータをクライアントＰＣ２００に送信するものとしてもよい。こうすることにより、迅速に新たな光源ランプの発注を行うことができる。
【００６１】
以上、本発明の種々の実施例について説明したが、本発明はこのような実施例に限定されず、その趣旨を逸脱しない範囲で種々の構成を採ることができる。例えば、ソフトウェアによって実現した機能はハードウェアによって実現するものとしてもよい。また、実施例では、プロジェクタの光源ランプを消耗品として扱ったが、液晶ライトバルブなども消耗品として扱うことができる。もちろん、消耗品はこれらの例に限定されない。
【図面の簡単な説明】
【００６２】
【図１】消耗品取引システムの概略構成を示す説明図である。
【図２】プロジェクタの概略構成を示す説明図である。
【図３】クライアントＰＣの概略構成を示す説明図である。
【図４】消耗品取引サーバの概略構成を示す説明図である。
【図５】料金テーブルの一例を示す説明図である。
【図６】ユーザテーブルの一例を示す説明図である。
【図７】プロジェクタにおける損耗状態判定処理のフローチャートである。
【図８】消耗品取引システムにおける取引処理のフローチャートである。
【図９】変形例としての消耗品取引システムの概略構成を示す説明図である。
【符号の説明】
【００６３】
１０...消耗品取引システム
１００...プロジェクタ
１０１...光源ランプ
１０２...液晶ライトバルブ
１０３...投写レンズ
１０４...表示制御部
１０５...コントローラ
１０６...輝度センサ
１０７...通信制御部
１０８...累積使用時間記憶部
１０９...損耗状態記憶部
１１０...ＩＤ記憶部
１１１...累積使用時間カウント部
１１２...損耗状態判定部
１１３...パラメータ送信部
１２０...ランプ
１２１...リフレクタ
２００...クライアントＰＣ
２０１...ＣＰＵ
２０２...ＲＡＭ
２０３...グラフィックコントローラ
２０４...ネットワークインタフェースコントローラ
２０５...ハードディスク
２０６...パラメータ取得部
２０７...料金問い合わせ部
２０８...発注部
３００...消耗品取引サーバ
３０１...ＣＰＵ
３０２...ＲＡＭ
３０３...ネットワークインタフェースコントローラ
３０４...ハードディスク
３０５...パラメータ取得部
３０６...料金決定部
３０７...取引処理部
４００...ＰＤＡ
４０１...パラメータ取得部
４０２...部
４０３...発注部
４０４...ＰＨＳモジュール
５００...消耗品取引システム
ＩＮＴ...インターネット
ＲＴ...ルータ
ＳＣ...スクリーン
ＴＰ，ＴＰ２，ＴＰ３...取引プログラム
ＰＴ...料金テーブル
ＵＴ...ユーザテーブル
【図１】
2005108157.tif 000003
【図２】
2005108157.tif 000004
【図３】
2005108157.tif 000005
【図４】
2005108157.tif 000006
【図５】
2005108157.tif 000007
【図６】
2005108157.tif 000008
【図７】
2005108157.tif 000009
【図８】
2005108157.tif 000010
【図９】
2005108157.tif 000011